【手続補正書】
【提出日】平成17年3月7日(2005.3.7)
【手続補正１】
【補正対象書類名】明細書
【補正対象項目名】全文
【補正方法】変更
【補正の内容】
【書類名】明細書
【発明の名称】表示データの生成装置と生成方法
【特許請求の範囲】
【請求項１】
それぞれ選択反射特性に基づく可視域の色を呈することができる二つのカイラルネマチック液晶表示素子が観察者側と非観察者側とに備えられ、それぞれのカイラルネマチック液晶表示素子の表示データが格納されたメモリが備えられ、二つのカイラルネマチック液晶表示素子の画像を重ね合わせることによって、カラーの画像を生成する表示データの生成方法であって、
情報処理手段が備えられ、
原画像の画像情報を読み込む工程と、読込んだ画像情報をカイラルネマチック液晶表示素子の表示データに変換する変換工程とを含むことを特徴とする、表示データの生成方法。
【請求項２】
カイラルネマチック液晶表示素子の表示面の１画素毎に４色表示が行われ得るように、原画像の画像情報を表示データに変換し、非観察者側のカイラルネマチック液晶表示素子の背面側基板の裏面側に着色層が設けられ、着色層の発色が４色のうちの一つである請求項１に記載の表示データの生成方法。
【請求項３】
２つのカイラルネマチック液晶表示素子の選択反射による発色がほぼ補色の関係にある請求項１または２に記載の表示データの生成方法。
【請求項４】
それぞれ選択反射特性に基づく可視域の色を呈することができるカイラルネマチック液晶表示素子が観察者側および非観察者側に二つ備えられた液晶表示装置の表示データの生成装置であって、
表示データを格納するメモリを有する情報処理装置が設けられ、原画像の画像情報を読み込む読込み手段と、
読込んだ画像情報をカイラルネマチック液晶表示素子の表示データに変換する変換手段とが設けられたことを特徴とする、表示データの生成装置。
【請求項５】
表示データを送信する送信手段がさらに設けられてなる請求項４に記載の表示データの生成装置。
【発明の詳細な説明】
【０００１】
【発明の属する技術分野】
本発明は、カイラルネマチック液晶表示素子を二つ備えた表示装置の表示データの生成方法と、表示データの生成装置に関する。
【０００２】
【従来の技術】
従来から、ブラウン管、液晶表示素子（ＬＣＤ）、エレクトロルミネッセンス表示素子（ＥＬ）、プラズマディスプレー（ＰＤ）などの画像表示装置が知られている。ＬＣＤでは、ＴＮ、ＳＴＮ、ＴＦＴ液晶などが広く用いられている。特に、ＴＦＴ液晶はノート型パソコンやテレビ用の表示装置にも使用されるようになっている。
【０００３】
ＬＣＤでも、カラー表示が一般的に行われており、２５６色、４Ｋ色、さらには６５Ｋ色の表示も行われている。いわゆる、トゥルーカラー表示が実質的に可能でありブラウン管に迫る色表示ができるようになってきている。
【０００４】
表示の画像データとしては、ＢＭＰ（ビットマップ）方式がある。ドットを単位としてデータが構成されているので、ＬＣＤのようなドットマトリックス表示方式に適している。また、ドットマトリックス方式のＬＣＤでは、ＲＧＢのカラーフィルタを各画素に対応して配置して、フルカラー表示を行っている。
【０００５】
【発明が解決しようとする課題】
コンピュータで扱うフル・カラーのＢＭＰ（ビットマップ）画像データは、通常１ピクセル毎にＲＧＢのデータを有し、ＲＧＢの各色素は８ビットの２５６階調で表現される。それにより、約１６７８万色の表示に対応するようになっている。
【０００６】
そこで、２つのカイラルネマチック液晶表示素子（以下、パネルともいう。）により構成される表示装置において、ＢＭＰ画像を表示させるには、ＢＭＰ画像データを４色表示対応に変換しなければならない。また、２つのパネルの表示を合成して表示できるように、表示データを作成する必要がある。
【０００７】
そこで、本発明は二つのカイラルネマチック液晶表示素子を用いた表示装置において、画像を表示させるための表示データを短時間で容易に作成することができることを目的とする。
【０００８】
さらに、その生成した表示データを短時間で転送できるような表示データの生成方法および表示データ生成装置を提供しようとするものである。
【０００９】
【課題を解決するための手段】
すなわち、本発明の態様１は、それぞれ選択反射特性に基づく可視域の色を呈することができる二つのカイラルネマチック液晶表示素子が観察者側と非観察者側とに備えられ、それぞれのカイラルネマチック液晶表示素子の表示データが格納されたメモリが備えられ、二つのカイラルネマチック液晶表示素子の画像を重ね合わせることによって、カラーの画像を生成する表示データの生成方法であって、
情報処理手段が備えられ、
原画像の画像情報を読み込む工程と、読込んだ画像情報をカイラルネマチック液晶表示素子の表示データに変換する変換工程とを含むことを特徴とする、表示データの生成方法を提供する。
【００１０】
態様２は、カイラルネマチック液晶表示素子の表示面の１画素毎に４色表示が行われ得るように、原画像の画像情報を表示データに変換し、非観察者側のカイラルネマチック液晶表示素子の背面側基板の裏面側に着色層が設けられ、着色層の発色が４色のうちの一つである態様１に記載の表示データの生成方法を提供する。
【００１１】
態様３は、２つのカイラルネマチック液晶表示素子の選択反射による発色がほぼ補色の関係にある態様１または２に記載の表示データの生成方法を提供する。
【００１２】
態様４は、それぞれ選択反射特性に基づく可視域の色を呈することができるカイラルネマチック液晶表示素子が観察者側および非観察者側に二つ備えられた液晶表示装置の表示データの生成装置であって、
表示データを格納するメモリを有する情報処理装置が設けられ、原画像の画像情報を読み込む読込み手段と、
読込んだ画像情報をカイラルネマチック液晶表示素子の表示データに変換する変換手段とが設けられたことを特徴とする、表示データの生成装置を提供する。
【００１３】
態様５は、表示データを送信する送信手段がさらに設けられてなる態様４に記載の表示データの生成装置を提供する。
【００１４】
上記の態様において用いられるカイラルネマチック液晶表示素子は、相転移型の動作モードを有し、電源を実質的にオフにしても表示状態が維持できるメモリ型の動作モードを有するものであることが好ましい。
【００１５】
また、カイラルネマチック液晶表示素子は、「赤色」、「青色」、「緑色」などの有彩色を含む４色以上の表示を有することが好ましい。また、「白」および／または「黒」をさらに含むことが好ましい。表示の見栄えが向上するからである。
【００１６】
少なくとも「白」または「黒」の無彩色と、他に、「赤色」、「青色」、「緑色」、「黄色」、「マゼンダ」、「シアン」から選ばれた２色とを含む４色以上のマルチカラー色を表示できることが好ましい。サイン表示などの使用に充分たえるカラー表示を実現できるからである。
【００１７】
【発明の実施の形態】
図１に本発明のフロー図の一例を示す。工程１は、情報処理装置のメモリに格納された、原画像の画像情報を読み込む読込み工程である。
【００１８】
情報処理装置とは、汎用のコンピュータとメモリ回路およびその他の周辺回路を組み合わせて用いたものを意味する。たとえば、ネットワークの端末機、デスクトップ型コンピュータ、ノート型コンピュータ、ハンドヘルド型コンピュータ、パームトップ型コンピュータなどを用いることができる。
【００１９】
メモリとは、情報処理装置に内蔵されるＲＡＭやハードディスクをさす。または外部より供給される電子記憶媒体、たとえば、フロッピー（登録商標）ディスク、外付け型ハードディスク、Ｚｉｐ、ＭＯ（光磁気ディスク）、ＭＤ、ＰＤ（相変化ディスク）、ＣＤ−ＲＯＭ、ＣＤ−Ｒ、ＣＤ−ＲＷ、ＤＶＤ−ＲＡＭ、大容量のフロッピー（登録商標）ディスク、メモリーカード、ＲＡＭカードなどである。可搬型の電子記憶媒体は取り扱いが容易なので好ましい。特に、容量の大きい画像情報を多数収容できる１００ＭＢ以上のものが好ましい。
【００２０】
画像情報を含むデータとは、ＢＭＰ、ＴＩＦ、ＧＩＦ、ＪＰＥＧ規格などの画像データを意味する。特に、本発明においては、色情報を持つピクセルで構成されているＢＭＰ（ビットマップ）画像を用いることが好ましい。
【００２１】
原画像の画像情報を読み込むとは、メモリにあらかじめ格納された表示データを情報処理装置のメインメモリもしくはキャッシュメモリ、あるいはハードディスクなどの仮想メモリ上に転送すること、または、印刷物などをスキャンしてディジタル化された画像情報をメインメモリなどに収容することを意味する。特に高速で処理を行う場合は、キャッシュメモリに転送することが好ましい。
【００２２】
工程２は、読込んだ画像情報をカイラルネマチック液晶表示素子を備えた表示装置の表示データに変換する変換工程である。メモリに格納された画像情報を情報処理装置のＣＰＵおよび周辺回路を介して、表示装置の表示面の１画素毎に４色表示を可能とするような表示データに変換する。
【００２３】
このようにして、選択反射による発色がほぼ補色の関係にある２種類のカイラルネマチック液晶表示素子により構成され、非観察者側のパネルの背面側基板の裏面側に発色が４色のうちの一つである着色層を備えたカイラルネマチック液晶表示装置において、２種類のパネルの表示データをあらかじめ合成し、所望の画像表示が確認できるように、表示データを作成することができる。
【００２４】
工程３は、カイラルネマチック液晶表示装置の制御信号データ（コマンド）と表示データとを表示装置に送信する送信工程である。表示データを情報処理装置に内蔵または、接続される通信装置に転送する。通信装置は、ＲＳ−２３２Ｃ、ＳＣＳＩ、ＵＳＢ、ＩＥＥＥ８０２．１１ｂ規格に対応したものを情報処理装置に接続する。
【００２５】
通信技術としては、非ワイヤー方式の通信手段が用いられ、赤外線通信、無線通信、微弱電波を利用するコードレス電話方式、ＰＨＳおよびＢｌｕｅｔｏｏｔｈ（登録商標）、無線ＬＡＮなどを用いることができる。本発明では、特にＢｌｕｅｔｏｏｔｈを用いることが好ましい。
【００２６】
工程４および５は、表示装置側で受信した表示データを表示する工程で、生成した画像を液晶画面に直接表示し、それを視認することができる。
【００２７】
本発明で表示データを生成しようとする表示装置には、メモリー性の表示モードを有する表示素子が使用される。メモリー性とは、駆動電圧が実質的に０Ｖの状態または連続的に駆動を行わないで、表示情報を保持できる性質をいう。メモリー性の表示モードを有する表示素子には、たとえばコレステリックまたはカイラルネマチック液晶表示素子（以下、ＣＬ−ＬＣＤという。）あるいは反強誘電性液晶表示素子（以下、ＡＦ−ＬＣＤという。）等がある。特に本発明では、低消費電力化が可能なＣＬ−ＬＣＤの使用を必須とする。
【００２８】
ＣＬ−ＬＣＤは相転移型の動作を有する。相転移型とは、入射光の一部を選択反射するプレナー状態（以下、ＰＬ状態という。）および入射光を散乱させるフォーカルコニック状態（以下、ＦＣ状態という。）の少なくとも２状態で安定であり、電極間に所定の電圧を印加することで、液晶をＰＬ状態またはＦＣ状態に転移させることができる。
【００２９】
図２にカイラルネマチック液晶表示素子２０と２１を２枚積層した表示装置１１の断面構造を模式的に示す。基本的に同様のセル構造を有するＣＬ−ＬＣＤを２枚積層したものである。行電極２６を設けた第１基板２２と列電極２７を設けた第２基板２３の電極面を直交配置するように対向させる。第１基板２２と第２基板２３は周辺シール材２４を介して圧着され、セル空間が形成され、その内部にカイラルネマチック液晶層２５が注入される。このＣＬ−ＬＣＤは単純マトリックス方式で駆動することが好ましい。
【００３０】
第２基板２３には引出電極群２８が形成されている。第２基板２３の列電極２７は、引出電極群２８内の所定の電極に直接接続されているが、第１基板２２の行電極２６は、周辺シール材２４に含まれている導電ビーズなどのトランスファ材を介して引出電極群２８内の所定の電極と導通がとられている。
【００３１】
トランスファ材を使用せずに、引出電極群２８を第１基板２２、第２基板２３にそれぞれ形成してもよい。第２のパネル２１の第１基板２２の裏面側に黒色の艶消し塗料を着色層２９として設けている。第１のパネル２０と第２のパネル２１との間に接着層３０を配置して、二つのパネルが積層された状態でカラー表示を観察者が視認できるようにする。
【００３２】
対向して配置された行電極２６と列電極２７との間に印加される電圧によってカイラルネマチック液晶層２５が駆動され、その相状態の転移が制御され表示が行われる。このＣＬ−ＬＣＤでは偏光板を用いずに表示を行うことができる。
【００３３】
そして、ＣＬ−ＬＣＤは第２基板２３の引出電極群２８に、いったん電圧を印加して所定の表示状態に置いた後に、電源を遮断しても、その表示状態が維持される。ただし、ＡＦ−ＬＣＤでは同様に表示状態を保持するには、保持電圧の印加が必要である。
【００３４】
さらにＣＬ−ＬＣＤにおいて、保持された表示状態を他の表示状態に転移させるには、再度所定の電圧を印加すればよい。その際に、いったん表示面の全面を消去してから、次の表示に必要な電圧を印加することが好ましい。
【００３５】
すなわち、使用上の観点から直前の表示を完全に消去した後に、新しい表示に書き換えることが好ましい。通常、表示面全体をＰＬ状態にすることで、選択反射の色を描画し、ＦＣ状態にすることで微散乱状態におき、裏面側の艶消し色（黒色塗料）を表示させ、表示を行うことができる（特開２００１−３３７３１４公報参照）。また、この着色層の色は所望の表示に合わせて、適宜変更することができる。各液晶表示素子による選択反射の発色との組み合わせを考慮して、着色層の色を選択すればよい。
【００３６】
次にＣＬ−ＬＣＤの製造方法について説明する。なお、ＣＬ−ＬＣＤの基本構成、セル内面に設ける配向膜や、駆動法などについては、本出願人による特願２００１−３８８５６６、特願２００１−１０５２８３に示した。
【００３７】
ＣＬ−ＬＣＤの製造は以下のようにして行うことができる。まず、ＩＴＯよりなる透明導電膜付き基板を２枚準備し、最大間隔が１０μｍとなるようにエッチング形成し、各基板に１６０本程度のストライプ電極を配置する。そして、各基板の電極形成面側に電気絶縁層を形成した後、ポリイミドの樹脂溶液を塗布し焼成して配向膜を形成する。
【００３８】
一例として、配向膜の表面にはラビングを施さず、そのままの状態で用いることができる。この２枚の基板をそれぞれのストライプ電極が直交するように配置し、その対向面間に直径４μｍ程度のスペーサを撒布し、液晶注入口となる部分を除いて基板の４辺に、直径４μｍ程度の微量のグラスファイバーを含むエポキシ樹脂からなる周辺シール材を塗布し、２枚の基板を貼り合わせて液晶セルを作製する。
【００３９】
次に、ネマチック液晶にカイラル剤を混合し、カイラルネマチック液晶組成物を調製する。なお、液晶材料の種類とカイラル剤の種類、両者の混合比によってピッチが調整できる。そして、真空注入法を用いて、カイラルネマチック液晶組成物を液晶セル内に注入した後、注入口を光硬化性樹脂で封止し、ＣＬ−ＬＣＤを製造する。
【００４０】
このようにして製造した２枚のＣＬ−ＬＣＤを間に透明接着材料を用いた接着層３０を配置して積層し、一つの表示装置として使用する。それぞれの、ＣＬ−ＬＣＤの選択反射の特性を変更して、発色を異なるようにすればよい。おもに、カイラル剤と液晶材料との比率を調整して選択反射の主波長を移動する。ＣＬ−ＬＣＤの選択反射は狭帯域であり、一つのカイラルネマチック液晶表示素子は、見掛け上単色の発色体として作用し得る。
【００４１】
本発明では、２枚のカイラルネマチック液晶表示素子の表示状態を組み合わせることで、それらの発色の一部を混色させ、意匠性に富んだマルチカラーを得ることができる。
【００４２】
（例１）
情報処理装置としてノート型コンピュータ、通信手段としてＢｌｕｅｔｏｏｔｈを用いた。送受信装置にＢｌｕｅｔｏｏｔｈモジュール（東京電子設計社のＵＢ−６０１０（商品名））を用い、ノート型コンピュータに内蔵されたものを使用した。
【００４３】
予め、Ｗｉｎｄｏｗｓ(登録商標)標準搭載のペイントもしくはＰｈｏｔｏｓｈｏｐ（アドビシステムズ社製）、Ｐｏｗｅｒｐｏｉｎｔ（Ｍｉｃｒｏｓｏｆｔ社製）などにより、所望の画像データを表示装置の画面サイズに合せて、３２０×２４０ピクセルのＢＭＰ画像データ（２４ビット・カラー）に編集し、内蔵のハードディスクに格納した。このとき、画像１枚のメモリ容量は約２３０Ｋバイトを要した。
【００４４】
次に、ＢＭＰ画像データをカイラルネマチック液晶表示素子で表示できるような表示データに変換した。具体的な方法として、まず、ＲＧＢの各色素（Ｒ、Ｇ、Ｂそれぞれ８ビット）のそれぞれに任意の閾値を設定し、設定した閾値とＲＧＢの濃淡の大小を比較した。それにより、ＲＧＢの各色素を８ビットから１ビット化し、ＲＧＢによる表現色を８色（黒、青、緑、シアン、赤、マゼンダ、黄、白）とした。
【００４５】
例えば、２４ビット２５６階調のＢＭＰ画像における表現色の灰色（Ｒ、Ｇ、Ｂ）＝（１２８，１２８，１２８）の場合は、閾値を１２７未満に設定すると、灰色を白色に変換し、閾値を１２８以上に設定すると、灰色を黒色に変換する。
【００４６】
次に、下表の表１に示すようにＲＧＢによる表現色に制限をかけ、４色（黒、青、黄、白）に対応した属性を付加した。それにより、ＲＧＢによる表現色を８色から。カイラルネマチック液晶表示素子（ＣＬ−ＬＣＤ）で表示できる４色に変換した。
【００４７】
カイラルネマチック液晶表示装置の構成としては、選択反射による発色がほぼ補色の関係にある２種類のパネル（青色を呈する青パネル、黄色を呈する黄パネル）を準備し、非観察者側のパネルの背面側基板の裏面側に発色が黒の着色層を備えるようにした。
【００４８】
情報処理装置のなかに存在する８色からなる画像データのうちの４色（緑、シアン、赤、マゼンダ）を「緑から黄」「シアンから白」「赤から黒」「マゼンダから青」へ変更して上記のパネル構成でカラー表示を行うようにする。
【００４９】
カラーの色数の縮減を行って表示を行うに際して、その表示から受けるコントラストの感じや色差の印象がさほど変わらないような程度の変更とした。言い換えると、影響の少ない色変化を採用した。もちろん、他の表示を行う場合に他の「色変更」の組合せを採用してもよい。
【００５０】
【表１】
2003315763.tif 000001
【００５１】
また、他の４色（黒、緑、赤、白）に対応した属性を付加した場合は、前述と同様に、選択反射による発色がほぼ補色の関係にある２種類のパネル（緑パネル、赤パネル）より構成された液晶表示装置を用いて、８色のうちの４色（青、シアン、黄、マゼンダ）を「青から黒」「シアンから緑」「マゼンダから赤」「黄から白」へ変更する組合せを採用してもよい。
【００５２】
本発明で使用する表示装置は、ＣＬ−ＬＣＤ２枚を積層して構成する。そこで、ＢＭＰ画像のＲＧＢデータを各ＣＬ−ＬＣＤ（青パネル、黄パネル）用に対応した表示データに変換した。表２にＣＬ−ＬＣＤのピクセル表現色と対応する各パネルに対する付与データを示す。
【００５３】
【表２】
2003315763.tif 000002
【００５４】
表２の付与データが「０」のときは、パネルの画素を非点灯状態とし、「１」のときは、パネルの画素を点灯状態とした。したがって、青パネルおよび黄パネルのどちらの画素も非点灯状態のときは黒色表示となり、青パネルおよび黄パネルのどちらの画素も点灯状態のときは白色表示となる。
【００５５】
また、ＣＬ−ＬＣＤ表示用に変換した表示データをノート型コンピュータの画面上で確認した。すなわち、青パネルの表示状態を示す表示画像と、黄パネルの表示状態を示す表示画像と、さらに、青パネルと黄パネルを合成させ、ＢＭＰ画像のピクセルを白、黒、青、黄の４色に変換した表示画像とをノート型コンピュータの画面に個別に表示した。
【００５６】
ＣＬ−ＬＣＤ表示用に変換した表示データをノート型パソコンのシリアルポートを経由して、Ｂｌｕｅｔｏｏｔｈモジュールに転送する。このときデータ送信レートは、９６００ｂｐｓ、ストップビット１、パリティ無しに設定した。一度に転送するデータ量は１７バイトで、最初の１バイトはコマンド部として使用した。
【００５７】
送信データは、表示画面の８ピクセル分を１バイトとしたので、画面サイズが３２０×２４０＝７６．８Ｋピクセルであるとすると、１画面の必要データ量は、９．６Ｋバイトとなった。また２画面分だと１９．２Ｋバイトに達した。
【００５８】
また、一度に転送するデータ量はコマンド部を除くと、１６バイトなので、１画面のデータ９．６Ｋバイトを左上より１６バイトずつ、シリアルで転送させると、６００回に分けて転送を行った。
【００５９】
さらに、ＢｌｕｅｔｏｏｔｈではＣＬ−ＬＣＤ用の表示データにコマンドを付加して送信することもできる。この場合の表示データ量は、１画像当たり２０．４Ｋバイトを要する。
【００６０】
本発明で使用する表示装置は、表示データを格納させるための格納場所として、４つのメモリを内蔵するように設定した。このため必要に応じて、メモリ番号を指定して、表示データを表示装置に転送すると、それに対応したそれぞれのメモリに格納された。このようにして、それぞれの色に応じた表示データが表示装置のメモリに収容され、所望のマルチカラー表示を容易に行うことができた。
【００６１】
（例２）
画像情報を含むデータを表示装置の表示画面の１ピクセル毎に４色表示を可能とするような表示データに変換する際、ｘｙ色度座標を利用して変換してもよい。
【００６２】
具体的に、画像情報を含むデータを任意に設定した閾値ＲＧＢ＝（０，０，０）により、黒色データと黒色以外の色データとに区分する。次に、図７に示すＣＩＥのＸＹＺ表色系のｘｙ色度座標７１において、黒色以外の色データを有するＲＧＢ表示色データを、図７のＲＧＢを頂点とする三角形の領域内の色度点に変換した。
【００６３】
さらに、青パネルと黄パネルのカイラルネマチック液晶表示素子を用いた場合は、表示色度点Ｂと白色点Ｗとを結び延長した色度点を補色Ｙとし、領域内の画像情報を含むデータの色度点を、ＢＹ線上に垂直に投影するように変換した。
【００６４】
そして、ＢＹ直線上のデータを任意に設定した閾値Ｘ１、Ｘ２により、Ｂ−Ｘ２線上データと、Ｘ１−Ｙ線上データとの２つに区分するようにした。各々のデータを対応する表示パネルの画素を点灯させる表示データに変換した。ＢＹ直線上に投影された位置で、各パネルのオン・オフを決定する。この様子を図８に示す。中央のＷＺの領域に投影点が属する色度点の場合、Ｘ１−Ｘ２の間に位置することになり、両方のパネルがオンし、通常は白表示となる。Ｂ―Ｘ１の間に位置する場合は青パネルのみが、Ｙ−Ｘ２の間に位置する場合は黄パネルのみがオンするようにする。
【００６５】
このようにして、選択反射によって異なる主波長の色を呈する２種類のパネルにより構成され、非観察者側のパネルの背面側基板の裏面側に着色層を備えたカイラルネマチック液晶表示装置において、２種類のパネルの表示データをあらかじめ合成し、所望の画像表示ができるように、表示データを作成した。表示データを作成した後は、例１と同様の操作を行い、それぞれの色に応じた表示データを表示装置のメモリに収容させ、所望のマルチカラー表示を容易に行うことができた。
【００６６】
（例３、４、５）
図３、４、５にそれぞれ例３、４、５の場合の表示データの色データを示す。図３（ａ）は青色、（ｂ）は黄色、図４（ａ）は緑色、（ｂ）は赤色、図５（ａ）は青色、（ｂ）は黄色であって、それぞれ合成された場合の色表示として、図３のなかで、たとえば、背景は黒色となり、「Ｒ」の文字は青色となり、「ＯＰＴＲＥＸ」の文字は白色になった。図４のなかで、たとえば、背景は白色となり、煙を表す部分は緑色になり、禁止マークは赤色となり、「Ｃｈｉｒａｓｍａｒｔ」の文字は黒色になった。図５のなかで、たとえば、背景は青色となり、「液晶の…プロバイダー」の文字の部分は白色となり、「ＯＰＴＲＥＸ」の文字は黄色になった。このようにして、４色のマルチカラー表示が得られた。
【００６７】
（例６）
図６に本発明の表示データ生成方法を模式的に示す。あらかじめ所望の画像を色分解し、カイラルネマチック液晶表示素子を用いた二つのパネルの色情報を情報処理装置１０によって生成し、それらの二つの色の所望の表示データ１３ａ、１３ｂとして表示装置１１に転送し、表示装置１１に内蔵された４つのメモリ１４ａ、１４ｂ、１４ｃ、１４ｄのうちの一つに収容されるように構成したものである。「Ｂ、Ｙ」はそれぞれ、「青、黄」の色データを意味する。そして、液晶画面１２上でマルチカラー表示を行う。図６の表示では、「ＳＰＲＩＮＧ  ＢＡＲＧＡＩＮ」の文字は黄色で、「ＳＡＬＥ」はやや黒味がかった青色、「３０％〜５０％ＯＦＦ」は明るい青色で表示をし、文字の陰の部分とアンダーラインの部分は黒色で表示を行うことができた。背景は白色に設定した。
【００６８】
【発明の効果】
本発明によると、メモリー性のあるカイラルネマチック液晶表示素子を２枚積層して用いた表示装置の、各カイラルネマチック液晶表示素子の表示状態を高速に処理できるようになった。
【００６９】
また、最終表示状態を即時見ることができるので、色調整などが事前にわかるようになった。また、事前の色調整および画像調整が可能になったので、表示装置を組み立てる際の、ターンアラウンドタイムを短縮化できるようになった。
また、表示装置を組み立てし、表示調整を行うサイクルタイムが短縮化できるようになった。
【図面の簡単な説明】
【図１】本発明のフローチャート。
【図２】ＣＬ−ＬＣＤの一例の模式的断面図。
【図３】表示データの第１例。
【図４】表示データの第２例。
【図５】表示データの第３例。
【図６】本発明の説明図。
【図７】色度座標における色変換の方法を示す説明図。
【図８】色度点の色変換を示す説明図。
【符号の説明】
１０：情報処理装置
１１：表示装置
１２：液晶画面
２０：第１のパネル
２１：第２のパネル
２２：第１基板
２３：第２基板
２４：周辺シール材
２５：カイラルネマチック液晶層
２６：行電極
２７：列電極
２８：引出電極群
２９：着色層
３０：接着層